(57)【特許請求の範囲】
【請求項１】
撮像されたＲＴフィルムを読み込み、デジタル化された画像データの解像力を確認する方法において、
複数のパターンを有する解像力確認用基準チャートを、前記ＲＴフィルムと連続して読み込んでデジタル画像データに変換し、該デジタル画像データから予め指定したパターンの寸法を画像処理により計測し、前記指定したパターンに付与されている許容値と計測した寸法を比較し、該寸法が許容値内の場合に、前記ＲＴフィルムの画像データが前記指定したパターンの解像力と同等であると判定することを特徴とするＲＴフィルムデジタイジング解像力の確認方法。
【請求項２】
請求項１において、
前記パターンは少なくとも複数の線径ラインペアであることを特徴とするＲＴフィルムデジタイジング解像力の確認方法。
【請求項３】
撮像されたＲＴフィルムをデジタル画像データに変換するデジタル処理部と、前記デジタル画像データを記憶する記憶装置と、デジタル化条件やＲＴ撮影条件を入力する入力部を備えたフィルムデジタイジング装置において、
複数のパターンをフィルム等に撮像した解像力確認用の基準チャートと、該基準チャートを前記ＲＴフィルムとともに前記デジタル処理部に読込み込ませて得た該基準チャートのデジタル画像に対し、予め指定したパターンの寸法を画像処理によって計測する画像処理部と、該パターンに予め付与された寸法許容値と比較して前記寸法が許容値内か否かにより前記パターンの解像度を判定する解像度判定処理部を設け、ＲＴフィルムデジタイジング解像力の確認を可能としたことを特徴とするフィルムデジタイジング装置。
【請求項４】
請求項３において、
前記寸法と前記許容値及び判定結果を表示するディスプレイを設けたことを特徴とするフィルムデジタイジング装置。
【請求項５】
請求項３または４において、
前記ＲＴフィルム及び前記解像力確認用基準チャートのデジタル画像データをファイリングするデータベースを設けることを特徴とするフィルムデジタイジング装置。
【発明の詳細な説明】
【０００１】
【発明の属する技術分野】
本発明は、放射線透過試験（ＲＴ）で撮影されたＲＴフイルムのデジタイジング装置に係わり、特に、デジタル化前のＲＴフイルムとデジタル後の画像データの解像力が同等であることを確認できる確認支援方式に関する。
【０００２】
【従来の技術】
撮影されたＲＴフィルムは、フィルムデジタイザによりデジタル画像データに変換される。撮影時に写し込まれたＸ線用解像力テストチャート、階調計、針金形透過度計、有孔形透過度計などの像質計の画像を基準にして、濃度、コントラストを調整し、ＲＴフィルムと画像データの評価を目視で確認していた。しかし、ＲＴフィルムとデジタル後の画像データの解像力の確認は行われていない。
【０００３】
また、種々のテストパターンを有する撮像板を走査し、デジタル走査装置のパラメータを試験する方法として、特開平８−１７１１５３号がある。
【０００４】
【発明が解決しようとする課題】
ＲＴフィルムの像質評価用として、撮影時に写し込まれた各像質計が使用されている。しかし、デジタル化画像データをディスプレイに表示した画像は、フィルムデジタイジング時の分解能やコントラスト及び濃度等のデジタル化条件及びフィルムデジタイジング装置の特性により、デジタル化した各像質計の識別解像力がＲＴフィルム毎に一律にならず、定量的な像評価等が困難であった。
【０００５】
上記の特開平８−１７１１５３号でも、デジタイザの評価は可能ではある。しかし、撮影されたＲＴフイルムとそのデジタル化画像が同一の解像力を有している否かを評価することは困難である。
【０００６】
本発明の目的は、上記従来技術の問題点に鑑み、撮影されたＲＴフイルムとそのデジタル化画像の解像力の同等性を比較判定する方法及び装置を提供することにある。
【０００７】
【課題を解決するための手段】
上記目的を達成する本発明は、撮像されたＲＴフィルムを読み込み、デジタル化された画像データの解像力を確認する方法において、複数のパターンを有する解像力確認用基準チャートを、前記ＲＴフィルムと連続して読み込んでデジタル画像データに変換し、該デジタル画像データから予め指定したパターンの寸法を画像処理により計測し、前記指定したパターンに付与されている許容値と計測した寸法を比較し、該寸法が許容値内の場合に前記ＲＴフィルムの画像データが前記指定したパターンの解像力と同等であると判定することを特徴とする。前記パターンは少なくとも複数の線径ラインペアである。
【０００８】
また、本発明は、撮像されたＲＴフィルムをデジタル画像データに変換するデジタル処理部と、前記デジタル画像データを記憶する記憶装置と、デジタル化条件やＲＴ撮影条件を入力する入力部を備えたフィルムデジタイジング装置において、複数のパターンをフィルム等に撮像した解像力確認用の基準チャートと、該基準チャートを前記ＲＴフィルムとともに前記デジタル処理部に読込み込ませて取得した該基準チャートのデジタル画像に対し、予め指定したパターンの寸法を画像処理によって計測する画像処理部と、該パターンに予め付与された許容値と比較して前記寸法が許容値内か否かにより前記パターンの解像度を判定する解像度判定処理部を設け、ＲＴフィルムデジタイジング解像力の確認を可能としたことを特徴とする。
【０００９】
前記寸法と前記許容値及び判定結果を表示するディスプレイを設け、ＲＴフィルムデジタイジング解像力の確認を容易にしている。
【００１０】
本発明によれば、ＲＴフィルムと同時に解像力確認用基準チャートのフィルムをフィルムデジタイザでデジタル化し、ディスプレイ表示時に基準チャート、例えば任意ラインペアの線径を計測して許容値と比較判定することにより、フィルムデジタイジング装置及びディスプレイ表示された画像データの解像力の確認が可能となる。これにより、ＲＴフィルムとデジタル化データの同等性確認が容易にでき、ＲＴフィルムのデジタル記録が可能となるので、保管スペース及び検索・索引時間の大幅な削減が可能になる。
【００１１】
【発明の実施の形態】
以下、本発明の実施の形態について図面を用いて説明する。図１は本発明の一実施例を示すフィルムデジタイジング装置の構成図である。デジタル化するＲＴフィルム１と、任意の線径ラインペアチャートを有する解像力確認用基準チャート２を、フィルムデジタイザのデジタル処理部３に読込み込ませ、デジタル画像データに変換する。図１（ｂ）に示すように、ＲＴフイルム１と解像力確認用基準チャート２は接続され、フィルムデジタイザに連続して読み込まれる。
【００１２】
ＲＴフィルム１は像質計を移し込んでいる。像質評価用として、図３に示すＸ線テストチャート１０、図４に示す階調計１１、図５に示す針金形透過度計１２、図６に示す有孔形透過度計１３等の像質計が用いられる。ＲＴフィルムは撮影時に、これらの像質計を同時に写し、透過試験による像質評価を行うことが規定されている。なお、像質計は試験体により選択して使用される。
【００１３】
解像力確認用基準チャート２はフィルム上に撮像された各種のパターンで、図７に示すように判定基準を網羅したラインペアを印刷した解像力確認用基準チャート２aや、図８に示すように必要ラインペアを印刷した解像力確認用基準チャート２bがある。また、デジタル画像データにした時のデータ量削減を考慮し、任意の線径ラインペアを数種選択した解像力確認用基準チャートも考えられる。この場合、解像力確認用基準チャートの印刷精度は保証されているものとする。
【００１４】
ディスプレイ６は、ＲＴフィルム１と解像力確認用基準チャート２のデジタル画像データを同一画面に表示する。このデジタル画像データについて、予め操作部７で任意指定した複数のラインペアチャートの線径を対象に、画像処理部４により寸法を計測する。解像度判定処理部５はこの計測結果と予め指定したラインペアに付与されている許容値を比較し、ラインペアの解像度を判定する。記憶装置８は、デジタル画像データ、デジタル化条件情報、ＲＴ撮影条件情報などを保管記録する。ＣＰＵ９は各部の処理を制御する。また、プリンタを有し、ディスプレイ６に表示した画像を印刷するようにしてもよい。
【００１５】
次に、上記したデジタイジング処理装置の動作を説明する。図２は一実施例によるデジタイジング処理方法を示すフローチャートである。先ず、フィルムデジタイジング装置１０を起動し、ステップ20において、解像力確認用基準チャート２のラインペア線径に許容値を設定しておく。このラインペア線径は複数のラインペアのうち、予め想定される解像力に応じて指定される。
【００１６】
次に、ステップ21、22において、登録条件とデジタイジング条件を操作部７から設定する。図９にデジタル画像データのデータベースの構成図を示す。このデータベースにはＲＴフイルム番号毎に、画像データと画像付属条件データが登録される。登録条件としてはデジタル画像の管理番号、試験品名称等、デジタイング条件としては階調ビット数、フィルム読取ピッチ、フィルム読取濃度、フィルムサイズ等を設定する。
【００１７】
また、透過試験の検査条件等の一つとして、検査板厚の２％の分解能を確保できることが規定されているため、当該評価用の分解能を確認する判定対象ラインペア線径を指定しておく。
【００１８】
ステップ23において、デジタル化するＲＴフィルム１及び解像力確認用基準チャート２を接続し、連続して読み込めるようにフィルムデジタイザにセットする。ステップ24では、デジタル処理部３へ読取りの起動をかけ、ステップ25では、ステップ22で設定したデジタイジング条件でデジタル変換した画像データを表示する。
【００１９】
図１０に、画像データを表示するディスプレイ５のフォーマットを示す。ＲＴフィルム画像４０は画面の上部に、解像力確認用基準チャート画像４１は下部にそれぞれ表示される。また、ＲＴフィルム画像４０には、針金形透過度計画像４２や有孔形透過度計画像４３が写し込まれている。
【００２０】
ステップ26、27では、解像力確認用基準チャート２の寸法計測と判定を行う。図１１に解像力確認用基準チャートの画像を示す。この画像４１において、ステップ22で設定した対象ラインペアをラインペアLP1.0、LP2.0、LP8.0とした場合、画像処理部４の画像調整機能により、明るさ、コントラストを調整し確認できる画像とする。その後、解像力確認用基準チャート画像４１のラインペアLP1.0の画像データに対し、水平方向ラインペアの任意の座標Ｘ１１、Ｘ１２、Ｘ１３及び垂直方向ラインペアの任意の座標Ｙ１１、Ｙ１２、Ｙ１３のヒストグラムを作成する。
【００２１】
ここで、各座標は画像処理部４がラインペア位置座標テーブルを参照する。図１２はラインペア座標テーブルで、例えば、ラインペアLP1.0の座標（Ｘ１，Ｙ１）を読み出し求める。また、原点Ｇ（Ｘ０，Ｙ０）は、チャート４１に十字マーク等の基準マークを印刷しておいて求める。
【００２２】
図１３は、水平方向ラインペアの座標Ｘ１１を中心とするヒストグラム作成の例である。線分p１，p２，p３について、ヒストグラム最大値ｄmaxから任意の割合ｄｎ％を閾値Ｓ１とし、この時の各ヒストグラムから線幅Ｌ１，Ｌ２，Ｌ３を求め、更に各線幅のピーク点から線分ピッチ幅Ｗ１，Ｗ２を求める。同様にして、垂直方向ラインペアについても各線幅、ピッチ幅を求める。ラインペアLP2.0、LP8.0についても同様にして求める。
【００２３】
次に、画像処理寸法計測で求めた各ラインペアＬＰｉの線幅Ｌｉ及びピッチ幅Ｗｉに対し、許容率を参照し解像度判定処理部５が解像力を判定する。
【００２４】
図１４に各ラインペアの許容率を示す。図示の線幅偏差許容率Ｌｄｉとピッチ幅偏差許容率Ｗｄｉにより、先ず、（１）式で線幅許容値ｄＬｉを計算し、（２式）で線幅Ｌｉが偏差内かの比較を行い、成立する場合に偏差内と判定する。ピット幅Ｗｉも、同様に（３）式でピッチ幅許容値ｄＷｉを計算し、（４）式で偏差内かの比較を行い、成立する場合に偏差内と判定する。
ＬＰｉ＊Ｌｄｉ＝ｄＬｉ                      …（１）
（ＬＰｉ−ｄＬｉ）≦Ｌｉ≦（ＬＰｉ＋ｄＬｉ）…（２）
ＬＰｉ＊Ｗｄｉ＝ｄＷｉ                      …（３）
（ＬＰｉ−ｄＷｉ）≦Ｗｉ≦（ＬＰｉ＋ｄＷｉ）…（４）
図１５に、各ラインペアの寸法計測値と判定結果を示す。各ラインペアの座標毎に、Ｘ線幅、Ｙ線幅、ピッチ幅と判定結果をディスプレイ６の表示領域４４に示している。判定結果が範囲外の場合は、デジタイジング対象外として終了する。
【００２５】
次に、ステップ28では、ＲＴフィルム画像４０について、像質計の明るさ、コントラストを調整して画像の確認を行うもので、撮影時に同時に写し込まれた像質計であるＸ線テストチャート１０、階調計１１、針金形透過度計１２、有孔形透過度計１３の画像について評価し、分解能の確認を行う。確認不可の場合は、デジタイジング対象外とする。
【００２６】
像質計は試験体により選択して使用されるが、画像表示された像質計の評価方法は、一般に規定されているRTフィルム１の撮像評価と同じ方法により行う。Ｘ線テストチャート１０の場合は、ラインペア像の分解程度で評価する。階調計１１については、階調計像の中心部とその近傍の試験体部の濃度比較により評価する。針金形透過度計１２は、目視によって識別される最小線径で評価する。有孔形透過度計１３は、目視によって識別される最小孔径と試験体の板厚によって評価する。
【００２７】
以上の処理から、デジタル化変換されたＲＴフィルム画像データは、解像力確認用基準チャートの判定対象ラインペア線径の寸法計測値と許容値を比較することにより、画像データの解像力が許容範囲内か確認できる。更に、同一ＲＴフィルムの像質計で当該分解能の確認を行うことにより、デジタル画像データの解像力の最終確認が可能となる。
【００２８】
ステップ29は、ＲＴフィルム画像データをデータベース（図９）として、外部記憶装置８に保存する。データベースはＲＴフィルム番毎に、画像付属条件データと解像力基準チャートデジタル画像データ及びＲＴフイルムデジタル画像データが同一データベースに保存されているので、各ＲＴフィルム毎にデジタル画像データの識別解像力を確認することができる。
【００２９】
【発明の効果】
本発明によれば、撮影されたＲＴフィルムとそのデジタル画像データの解像力の同等性を容易に確認できる効果がある。このため、撮影後のＲＴフィルムをデジタル画像データによって保管することができ、保管スペース及び検索・索引時間の大幅合理化が可能になる。
【図面の簡単な説明】
【図１】本発明の一実施例を示すＲＴフィルムデジタイジング装置の構成図。
【図２】本発明の一実施例を示すデジタイジング処理のフロー図。
【図３】像質計の一つであるＸ線用解像力テストチャートの説明図。
【図４】像質計の一つである階調計の説明図。
【図５】像質計の一つである針金形透過度計の説明図。
【図６】像質計の一つである有孔形透過度計の説明図。
【図７】解像力確認用基準チャートの一例を示す説明図。
【図８】選択された解像力確認用基準チャートの一例を示す説明図。
【図９】ＲＴフィルムデジタル画像データのデータベースの構成図。
【図１０】解像力確認用基準チャートとＲＴフィルムデジタル画像のディスプレイ表示のフォーマットを示す説明図。
【図１１】解像力確認用基準チャートの画像からラインペア寸法を計測する説明図。
【図１２】解像力確認用基準チャートのラインペア座標を示すテーブルの説明図。
【図１３】ラインペア寸法を画像処理で計測する説明図。
【図１４】ラインペア寸法の線幅偏差許容値テーブルの説明図。
【図１５】画像処理計測したラインペア寸法と判定結果を示すディスプレイ表示するフォーマットの説明図。
【符号の説明】
１…ＲＴフィルム、２…解像力確認用基準チャート、３…デジタル処理部、４…解像度判定処理部、５…ディスプレイ、６…操作部、７…外部記録装置、８…プリンタ、９…ＣＰＵ、１０…Ｘ線用解像力テストチャート、１１…針金形透過度計、１２…階調計、１３…有孔形透過度計、４０…ＲＴフィルム画像、４１…ＲＴフィルム解像力確認基準チャート画像、４２…針金形透過度計画像、４３…有孔形透過度計画像。
【図１】
0003788936.tif 000002
【図２】
0003788936.tif 000003
【図３】
0003788936.tif 000004
【図４】
0003788936.tif 000005
【図５】
0003788936.tif 000006
【図６】
0003788936.tif 000007
【図７】
0003788936.tif 000008
【図８】
0003788936.tif 000009
【図９】
0003788936.tif 000010
【図１０】
0003788936.tif 000011
【図１１】
0003788936.tif 000012
【図１２】
0003788936.tif 000013
【図１３】
0003788936.tif 000014
【図１４】
0003788936.tif 000015
【図１５】
0003788936.tif 000016